(57)【要約】      （修正有）【課題】壁裏に配設される換気扇類の固定台座を壁表側からの操作のみによって、予定した固定位置に確実に固定可能とすることである。【解決手段】天井壁Ｗを構成する天井板４１に形成される貫通孔４３の形成予定位置近傍の壁内に、前記貫通孔４３から壁表側に臨ませ得る前面開口３を有する固定台座Ｓを予め配置しておき、壁表側から前記固定台座Ｓの配設位置に貫通孔４３を形成し、前記固定台座Ｓを、壁表側から前記貫通孔４３より壁内に挿入したひも体（引寄具）３４により壁内を強制的に移動させて、固定台座Ｓの前面開口３が貫通孔４３から壁表側に臨むような正規の配設姿勢にして、前記正規の配設姿勢を維持するようにして固定台座Ｓに設けられたひも体（移動抑制部）３４で貫通孔４３に対する固定台座Ｓの移動を抑制しながら、壁表側から固定台座Ｓを天井板４１、又は壁内の桟に固定する。【選択図】図１
2007064615.tif 000002
【特許請求の範囲】
【請求項１】
壁裏に配設される換気扇類の固定台座を壁を構成する壁板、又は壁内の構造物に固定して、壁裏に前記固定台座を配設する方法であって、
壁を構成する壁板に形成される貫通孔の形成予定位置近傍の壁内に、前記貫通孔から壁表側に臨ませ得る開口を有する固定台座を予め配置しておき、
壁表側から前記固定台座の配設位置に貫通孔を形成し、
前記固定台座を、壁表側から前記貫通孔より壁内に挿入した手指や引寄具により壁内を強制的に移動させて、固定台座の開口が貫通孔から壁表側に臨むような正規の配設姿勢にして、
前記正規の配設姿勢を維持するようにして固定台座に設けられた移動抑制部で貫通孔に対する固定台座の移動を抑制しながら、壁表側から固定台座を壁板、又は壁内の構造物に固定することを特徴とする壁裏に配設される換気扇類の固定台座の配設方法。
【請求項２】
壁裏に配設される換気扇類の固定台座を壁を構成する壁板に固定して、壁裏に前記固定台座を配設する方法であって、
壁を構成する壁板に形成される貫通孔の形成予定位置近傍の壁内に、前記貫通孔から壁表側に臨ませ得る開口を有する固定台座を予め配置しておき、
壁表側から前記固定台座の配設位置に貫通孔を形成し、
前記固定台座を、壁表側から前記貫通孔より壁内に挿入した手指や引寄具により壁内を強制的に移動させて、固定台座の開口が貫通孔から壁表側に臨むような正規の配設姿勢にして、
前記正規の配設姿勢を維持するようにして固定台座に設けられた移動抑制部で貫通孔に対する固定台座の移動を抑制しながら、壁表側から壁表側に設置する換気扇類を前記固定台座に取着することで、前記正規の配設姿勢で固定台座を壁板に対して固定することを特徴とする壁裏に配設される換気扇類の固定台座の配設方法。
【請求項３】
前記固定台座に設けられた接続部に、壁内に配管される配管材を予め接続した状態で壁内に配置しておくことを特徴とする請求項１又は２に記載の壁裏に配設される換気扇類の固定台座の配設方法。
【請求項４】
前記移動抑制部を貫通孔から壁表に引き出して、固定台座の移動を抑制することを特徴とする請求項１ないし３のいずれかに記載の壁裏に配設される換気扇類の固定台座の配設方法。
【請求項５】
壁裏に予め配置されて、壁を構成する壁板に形成される貫通孔から壁表側に開口を臨ませた状態で前記壁板に固定される換気扇類の固定台座であって、
前記固定台座は、
台座本体に形成された開口と、
前記台座本体の前記開口の周縁に設けられて、前記貫通孔から壁表側に固定台座が抜け出るのを防止する壁裏当接部と、
壁裏における前記開口が貫通孔から壁表に臨む位置に配置された状態で、前記貫通孔に対する台座本体の位置を固定すべく、壁表側から、壁表に設置される換気扇類、及び壁板の貫通孔周縁をそれぞれ貫通するねじの螺入によって、前記壁板を換気扇類と台座本体とで挟持固定可能とする固定部と、
壁板に対する固定台座の固定時において、貫通孔に対する開口の位置ずれを抑制すべく壁表側から抑制操作が可能で、しかも前記壁板に対する挟持固定を妨げないように台座本体に形成されている移動抑制部と、
を備えていることを特徴とする壁裏に配設される換気扇類の固定台座。
【請求項６】
壁裏に予め配置されて、壁を構成する壁板に形成される貫通孔から壁表側に開口を臨ませた状態で壁内の構造物に固定される換気扇類の固定台座であって、
前記固定台座は、
台座本体に形成された開口と、
前記台座本体の前記開口の周縁に設けられて、前記貫通孔から壁表側に固定台座が抜け出るのを防止する壁裏当接部と、
壁裏における前記開口が貫通孔から壁表に臨む位置に配置された状態で、前記貫通孔に対する台座本体の位置を固定すべく、壁内の構造物に、又は直接壁板に、壁表から固定可能とする固定部と、
壁板に対する固定台座の固定時において、貫通孔に対する開口の位置ずれを抑制すべく壁表側から抑制操作が可能で、しかも前記壁板に対する挟持固定を妨げないように台座本体に形成されている移動抑制部と、
を備えていることを特徴とする壁裏に配設される換気扇類の固定台座。
【請求項７】
前記移動抑制部は、台座本体の開口内に突出形成されていることを特徴とする請求項５又は６に記載の壁裏に配設される換気扇類の固定台座。
【請求項８】
前記移動抑制部は、台座本体の開口端から壁表側に向けて突出形成された引掛け部であることを特徴とする請求項５又は６に記載の壁裏に配設される換気扇類の固定台座。
【請求項９】
前記移動抑制部は、貫通孔を通して壁表側に延びる長さを有するひも体であることを特徴とする請求項５又は６に記載の壁裏に配設される換気扇類の固定台座。
【請求項１０】
前記移動抑制部は、台座本体の開口内に架設された剛性を有する棒状部材であることを特徴とする請求項５又は６に記載の壁裏に配設される換気扇類の固定台座。
【請求項１１】
前記固定台座は、一端が前記開口となる筒壁部を有し、前記移動抑制部は、前記筒壁部の開口側の近傍に形成された凹部により構成されていることを特徴とする請求項５ないし１０のいずれかに記載の壁裏に配設される換気扇類の固定台座。
【請求項１２】
前記貫通孔は、人の手が入る大きさであって、前記移動抑制部は把持可能であることを特徴とする請求項５ないし１０のいずれかに記載の壁裏に配設される換気扇類の固定台座。
【請求項１３】
前記移動抑制部は、前記貫通孔に対して台座本体の開口が臨むように固定台座を引き寄せる際の引寄せ部を兼用することを特徴とする請求項５ないし１１のいずれかに記載の壁裏に配設される換気扇類の固定台座。
【発明の詳細な説明】
【技術分野】
【０００１】
本発明は、壁を構成する壁板の壁裏又は壁内の構造物に固定して配設される換気扇類の固定台座の配設方法、及び固定台座に関するものである。
【背景技術】
【０００２】
換気扇、換気扇フード等の換気扇類を壁に固定するには、壁裏の構造物、或いは壁板に形成予定の開口の裏側の周縁に固定された「当木」と称される木製枠に換気扇類を固定し（特許文献１）、壁表側から換気扇類の位置を探知して、壁表側から壁板に貫通孔を形成して、換気扇類の開口を前記貫通孔を通して壁表側に臨ませていた。この方法では、壁表側から壁裏の換気扇類を探知する必要があって、探知ミスをすると明けた開口を塞がねばならないと共に、換気扇類が予定の位置に対してずれて固定されていた場合には、修正の方法がないという問題があった。
【０００３】
また、壁裏に換気扇類を配設する別の方法としては、壁表側から壁板に貫通孔を形成し、換気扇類の固定台座を前記貫通孔から壁裏に挿入して壁板に固定していた。具体的には、壁内の管体を貫通孔から引き出して、壁表側において管体と固定台座とを連結して、貫通孔から壁内に押し戻していた。このため、壁裏から管体を引き出す際に、貫通孔周縁の壁板が削られて破壊されると共に、管体自身も損傷されるという問題があった。固定台座との接続のために管体を壁内から引き出す必要があって、引き出した管体を壁内に押し戻す際に、壁内において管体が異常屈曲、或いは異常変形させられて、通気（換気）の障害となる問題もあった。
【特許文献１】特開平７−６３３８８号公報
【発明の開示】
【発明が解決しようとする課題】
【０００４】
本発明は、壁裏に配設される換気扇類の固定台座を壁表側からの操作のみによって、予定した固定位置に確実に固定可能とすることを課題としている。
【課題を解決するための手段】
【０００５】
上記課題を解決するための請求項１に記載の発明は、壁裏に配設される換気扇類の固定台座を壁を構成する壁板、又は壁内の構造物に固定して、壁裏に前記固定台座を配設する方法であって、壁を構成する壁板に形成される貫通孔の形成予定位置近傍の壁内に、前記貫通孔から壁表側に臨ませ得る開口を有する固定台座を予め配置しておき、壁表側から前記固定台座の配設位置に貫通孔を形成し、前記固定台座を、壁表側から前記貫通孔より壁内に挿入した手指や引寄具により壁内を強制的に移動させて、固定台座の開口が貫通孔から壁表側に臨むような正規の配設姿勢にして、前記正規の配設姿勢を維持するようにして固定台座に設けられた移動抑制部で貫通孔に対する固定台座の移動を抑制しながら、壁表側から固定台座を壁板、又は壁内の構造物に固定することを特徴としている。
【０００６】
請求項１の発明は、判明している固定台座の配設位置に貫通孔を形成する工程と、該貫通孔の形成前に予め前記貫通孔の形成予定位置近傍の壁内に配置されている固定台座を、手指や引寄具により貫通孔の位置まで壁内を強制的に移動させて、該貫通孔の部分において、開口が貫通孔から壁表に臨むような正規の配設姿勢にして、前記貫通孔に固定台座を配設する工程と、固定台座が正規の配設姿勢を維持するように、固定台座に設けられた移動抑制部により貫通孔に対する固定台座の移動を抑制しながら、壁表側から固定台座を壁板、又は壁内の構造物に固定する工程とを含んでいるので、判明している固定台座の配設位置に、壁内の管体を壁表側に引き出すことなく壁内に配置したままで、壁表側から固定台座を壁板、又は壁内の構造物に固定できる。
【０００７】
このように、請求項１の発明によれば、壁裏に配置された固定台座の位置を壁表側から探知して、当該探知位置に対応する壁板に貫通孔を明ける従来方法における探知ミスの発生、壁板に形成した貫通孔から壁裏の管体を壁表側に引き出して固定台座と連結した後に、再度壁裏に挿入する従来方法における管体の異常屈曲、異常変形等の発生を確実に防止して、壁表側からのみの操作により、固定台座を正規の配設位置に確実に配設できる。
【０００８】
また、請求項２の発明は、壁裏に配設される換気扇類の固定台座を壁を構成する壁板に固定して、壁裏に前記固定台座を配設する方法であって、壁を構成する壁板に形成される貫通孔の形成予定位置近傍の壁内に、前記貫通孔から壁表側に臨ませ得る開口を有する固定台座を予め配置しておき、壁表側から前記固定台座の配設位置に貫通孔を形成し、前記固定台座を、壁表側から前記貫通孔より壁内に挿入した手指や引寄具により壁内を強制的に移動させて、固定台座の開口が貫通孔から壁表側に臨むような正規の配設姿勢にして、前記正規の配設姿勢を維持するようにして固定台座に設けられた移動抑制部で貫通孔に対する固定台座の移動を抑制しながら、壁表側から壁表側に設置する換気扇類を前記固定台座に取着することで、前記正規の配設姿勢で固定台座を壁板に対して固定することを特徴としている。
【０００９】
請求項２の発明は、手指や引寄具により壁内に予め配置されている固定台座を、その開口が貫通孔から壁表側に臨むような正規の配設姿勢にして、壁内を強制的に移動させる工程と、正規の配設姿勢を維持するようにして固定台座に設けられた移動抑制部で貫通孔に対する固定台座の移動を抑制しながら、壁表側から壁表側に設置する換気扇類を前記固定台座に取着することで、前記正規の配設姿勢で固定台座を壁板に対して固定する工程とを含んでいるので、固定台座の配設位置に対応する壁表側に設置される換気扇類を、壁裏において移動を抑制された状態の固定台座に取着することで、固定台座を正規の配設位置において貫通孔の周縁の壁板に固定できる。
【００１０】
また、請求項３の発明は、請求項１又は２の発明において、前記固定台座に設けられた接続部に、壁内に配管される配管材を予め接続した状態で壁内に配置しておくことを特徴としている。
【００１１】
請求項３の発明によれば、壁内において固定台座を手指又は引寄具により貫通孔の部分まで強制的に移動させる際には、固定台座に接続されている配管材も一緒に移動されて、固定台座を正規の配設姿勢にすると、固定台座に追随して配管材も最適な位置に配置変更される。壁内において配管材を固定台座に接続した状態で、固定台座が正規の配設姿勢で貫通孔から開口を壁表に臨ませて配設されるため、貫通孔の形成前に、壁内に固定台座を配管材と接続した状態で配置しておけば、以後壁内において配管材の配管位置変更等の作業を一切行う必要がない。このため、固定台座に接続される配管材の配管作業の作業工数が低減されて、配管作業の手間が少なくなる。
【００１２】
また、請求項４の発明は、請求項１ないし３のいずれかの発明において、前記移動抑制部を貫通孔から壁表に引き出して、固定台座の移動を抑制することを特徴としている。請求項４の発明によれば、固定台座に設けられた移動抑制部を貫通孔から操作の制約の少ない壁表に引き出した状態で、固定台座の移動を抑制すべく移動抑制部の操作を行えるので、固定台座の移動を抑制する操作が行い易くなる。
【００１３】
また、請求項５の発明は、壁裏に予め配置されて、壁を構成する壁板に形成される貫通孔から壁表側に開口を臨ませた状態で前記壁板に固定される換気扇類の固定台座であって、前記固定台座は、台座本体に形成された開口と、前記台座本体の前記開口の周縁に設けられて、前記貫通孔から壁表側に固定台座が抜け出るのを防止する壁裏当接部と、壁裏における前記開口が貫通孔から壁表に臨む位置に配置された状態で、前記貫通孔に対する台座本体の位置を固定すべく、壁表側から、壁表に設置される換気扇類、及び壁板の貫通孔周縁をそれぞれ貫通するねじの螺入によって、前記壁板を換気扇類と台座本体とで挟持固定可能とする固定部と、壁板に対する固定台座の固定時において、貫通孔に対する開口の位置ずれを抑制すべく壁表側から抑制操作が可能で、しかも前記壁板に対する挟持固定を妨げないように台座本体に形成されている移動抑制部とを備えていることを特徴としている。
【００１４】
請求項５の発明によれば、台座本体に形成された移動抑制部によって、壁裏に配設された固定台座の開口が壁板の挿通孔に対して位置ずれしないように、壁板に対する台座本体の移動を抑制した状態で、壁表側から、壁表に設置される換気扇類、及び壁板の貫通孔周縁をそれぞれ貫通させたねじを壁裏の台座本体の固定部に螺入させると、壁表の換気扇類と壁裏の台座本体とで壁板が挟持された状態で、前記壁板に対して台座本体が固定される。
【００１５】
また、請求項６の発明は、壁裏に予め配置されて、壁を構成する壁板に形成される貫通孔から壁表側に開口を臨ませた状態で壁内の構造物に固定される換気扇類の固定台座であって、前記固定台座は、台座本体に形成された開口と、前記台座本体の前記開口の周縁に設けられて、前記貫通孔から壁表側に固定台座が抜け出るのを防止する壁裏当接部と、壁裏における前記開口が貫通孔から壁表に臨む位置に配置された状態で、前記貫通孔に対する台座本体の位置を固定すべく、壁内の構造物に、又は直接壁板に、壁表から固定可能とする固定部と、壁板に対する固定台座の固定時において、貫通孔に対する開口の位置ずれを抑制すべく壁表側から抑制操作が可能で、しかも前記壁板に対する挟持固定を妨げないように台座本体に形成されている移動抑制部とを備えていることを特徴としている。
【００１６】
請求項６の発明によれば、台座本体に形成された移動抑制部によって、壁裏に配設された固定台座の開口が壁板の挿通孔に対して位置ずれしないように、壁板に対する台座本体の移動を抑制した状態で、壁表側から壁板の貫通孔に工具類を挿入して、台座本体の固定部を壁内の構造物、又は壁板に固定する。このため、壁内の構造物に台座本体を壁表側から確実に固定できる。
【００１７】
請求項７の発明は、請求項５又は６の発明において、前記移動抑制部は、台座本体の開口内に突出形成されていることを特徴としている。請求項７の発明によれば、壁板に形成された貫通孔から壁表に臨んだ状態で、台座本体の開口内に移動抑制部が形成されているため、前記貫通孔から挿入した手指により前記移動抑制部を掴んだり、或いは前記貫通孔から挿入した工具類を前記移動抑制部に引っ掛けることにより、壁板の貫通孔に対する台座本体の開口の位置ずれを防止した状態で、壁板、又は壁内の構造物に台座本体を固定できる。
【００１８】
また、請求項８の発明は、請求項５又は６の発明において、前記移動抑制部は、台座本体の開口端から壁表側に向けて突出形成された引掛け部であることを特徴としている。請求項８の発明によれば、台座本体の開口端から壁表側に向けて突出形成された引掛け部を壁板の貫通孔に引っ掛けることにより、壁板の貫通孔に対する台座本体の開口の位置ずれを防止した状態で、壁板、又は壁内の構造物に台座本体を固定できる。
【００１９】
また、請求項９の発明は、請求項５又は６の発明において、前記移動抑制部は、貫通孔を通して壁表側に延びる長さを有するひも体であることを特徴としている。請求項９の発明によれば、壁板の貫通孔を通して壁表に引き出されたひも体を壁表側に引っ張ることにより、壁板の貫通孔に対する台座本体の開口の位置ずれを防止できる。特に、請求項５の発明のように、ねじの螺入により台座本体を壁板に挟持固定する構成においては、ひも体を壁表側に引っ張ることにより、台座本体の固定部に対するねじの螺入時において、台座本体が壁板から離反するのを防止できて、前記ねじの螺入をスムーズに行える。
【００２０】
また、請求項１０の発明は、請求項５又は６の発明において、前記移動抑制部は、台座本体の開口内に架設された剛性を有する棒状部材であることを特徴としている。請求項１０の発明によれば、壁板の貫通孔から挿入した作業者の手で前記棒状部材を直接掴んで壁表の側に引っ張ることにより、台座本体を大きな力で壁板に押し付けることができて、壁板の貫通孔に対する台座本体の開口の位置ずれを防止できる。また、請求項５の発明のように、ねじの螺入により台座本体を壁板に挟持固定する構成においては、台座本体の固定部に対する前記ねじの螺入を一層スムーズに行なえる。
【００２１】
また、請求項１１の発明は、請求項５ないし１０のいずれかに記載の発明において、前記固定台座は、一端が前記開口となる筒壁部を有し、前記移動抑制部は、前記筒壁部の開口側の近傍に形成された凹部により構成されていることを特徴としている。請求項１１の発明によれば、壁表側から壁板の貫通孔に作業者の手を入れて、その指先等を筒壁部の開口側近傍に形成された凹部に引っ掛けることにより、壁板の貫通孔に対する台座本体の開口の位置ずれを容易に防止できる。
【００２２】
また、請求項１２の発明は、請求項５ないし１０のいずれかに記載の発明において、前記貫通孔は、人の手が入る大きさであって、前記移動抑制部は把持可能であることを特徴としている。請求項１２の発明によれば、壁表側から壁板の貫通孔に作業者の手を入れて、その指先等を移動抑制部に引っ掛けることにより、壁板の貫通孔に対する台座本体の開口の位置ずれを容易に防止できる。
【００２３】
また、請求項１３の発明は、請求項５ないし１１のいずれかに記載の発明において、前記移動抑制部は、前記貫通孔に対して台座本体の開口が臨むように固定台座を引き寄せる際の引寄せ部を兼用することを特徴としている。請求項１３の発明によれば、移動抑制部は、壁板の貫通孔に対する台座本体の開口の位置ずれを防止する本来の機能と、壁内に配置された固定台座の開口が壁板の貫通孔に臨むように固定台座を引き寄せる引寄せ部としての機能とを兼用する。
【発明の効果】
【００２４】
本発明に係る固定台座の配設方法によれば、壁表側から固定台座の配設位置に貫通孔を形成し、該貫通孔の形成前に壁裏に配置されていた固定台座を手指や引寄具により壁内を強制的に移動させて、固定台座の開口が貫通孔から壁表に臨むような正規の配設姿勢にして、前記正規の配設姿勢を維持するようにして固定台座に設けられた移動抑制部によって貫通孔に対する固定台座の移動を抑制しながら、壁表側から固定台座を壁板、又は壁内の構造物に固定するために、壁表側からの操作のみによって、貫通孔から開口が壁表に臨むような正規の配設姿勢にして固定台座を壁裏に固定できる。
【００２５】
また、本発明に係る固定台座によれば、台座本体に形成された移動抑制部によって、壁裏に配設された固定台座の開口が壁板の挿通孔に対して位置ずれしないように、壁板に対する台座本体の移動を抑制した状態で、壁表側から、壁表に設置される換気扇類、及び壁板の貫通孔周縁をそれぞれ貫通させたねじを壁裏の台座本体の固定部に螺入させると、壁表の換気扇類と壁裏の台座本体とで壁板が挟持された状態で、前記壁板に対して台座本体が固定できたり、或いは壁表側から壁板の貫通孔に工具類を挿入して、台座本体の固定部を壁内の構造物に固定できる。
【発明を実施するための最良の形態】
【００２６】
以下、複数の最良の実施形態を挙げて本発明を更に詳細に説明する。
【実施例１】
【００２７】
図１は、壁裏に配置される本発明に係る固定台座Ｓと、壁表から壁裏に至る部分に配置されて前記固定台座Ｓに固定される換気扇Ｖとの斜視図であり、図２は、固定台座Ｓの正面図であり、図３は、固定台座Ｓの設置姿勢における図２のＸ−Ｘ線断面図であり、図４は、固定台座Ｓの設置姿勢における斜視図であり、図５は、固定台座Ｓの移動抑制用のひも体３４を垂れ下げた状態の固定台座Ｓの斜視図である。また、本実施例の固定台座Ｓは、天井壁Ｗの天井板４１の裏面に前板部１を当接させた状態で水平に配置されて、天井壁Ｗに換気扇Ｖを配設する場合の他に、側壁に換気扇Ｖを配設する場合においても使用されるので、各部分の説明に関しては、本発明の使用例である天井壁Ｗに配置される場合の他に、側壁に配置される場合を含めて説明する。なお、固定台座Ｓの縦横の各方向に関しては、縦側板部４の方向を縦方向と定める。
【００２８】
図１ないし図４において、固定台座Ｓの台座本体１０の概略形状は、略方形状をした前板部１の中央部に、換気ダクトＤを内挿するための短円筒状のダクト接続筒２が背面側に向けて一体に形成されて、前板部１の中央部に、前記ダクト接続筒２と同心の前面開口３が開口され、前板部１の縦横の各周縁に、フランジ状の縦側板部４及び横側板部５がそれぞれ背面側に向けて一体に形成されて、縦中心線Ｃ1 に対して左右対称形状をなしている。縦横の各側板部４，５は、いずれも長手方向の中央部が両端部よりも所定長だけ低く形成されて、長手方向の中央部にそれぞれ凹部６，７が形成された形状になっている。縦側板部４の凹部６の深さは、横側板部５の凹部７の深さよりも浅く（小さく）て、横側板部５の凹部７は、縦中心線Ｃ1 に対して対称形状であるが、縦側板部４の凹部６は、一方の側に変偏して形成されて横中心線Ｃ2 に対して非対称となっている。
【００２９】
固定台座Ｓの固定時において、壁裏の桟等の構造物に固定される縦側板部４の凹部６には、前面よりも僅かに背面側に縦方向に縦桟８が一体に形成され、前記縦桟８の長手方向の中央部には幅広の第１横桟９が背面側に向けて形成され、第１横桟９の上下には、それぞれ所定間隔をおいて第２及び第３の各横桟１１，１２が背面側に向けて形成されている。縦桟８、並びに第２及び第３の各横桟１１，１２の上端面は、縦側板部４の長手方向の両端部の当接面４ａと同一平面上に存在していて、壁裏の構造物に固定する際には、いずれも構造物の側面に当接する。ビス挿通孔１３が形成された第１横桟９の上端面は、縦側板部４の当接面４ａよりも僅かに低く形成されて、固定台座Ｓの固定時において構造物には直接に密着しない。巾広の第１横桟９には、背面側に開口したビス挿通孔１３が前後方向（縦側板部４の巾方向）に沿って形成されている。第３横桟１２の背面側の部分は片持ち状に形成されて、その自由端部の上端面には、小突刺部１２ａが形成されていると共に、縦桟８の上面の上下端部であって、前記ビス挿通孔１３により上下に振り分けられた部分には、それぞれ複数対（実施例では一対）で一組となった小突刺部８ａがそれぞれ形成されている。前記各小突刺部８ａ，１２ａは、前記ビス挿通孔１３に挿通された１本のビスＢ2 により固定台座Ｓを構造物に固定する際に、構造物に突刺され、特に、側壁内の構造物に固定する際に、前記ビスＢ2 を中心にして固定台座Ｓが廻らなくなる。縦桟８の前側面における横中心線Ｃ2 上に位置する部分には、固定台座Ｓを側壁内の構造物に固定する際のセンター位置を表示することを目的として、横中心線Ｃ2 の位置を表示するセンター位置表示突起１４が形成されている。また、下方の第２横桟１１は、横中心線Ｃ2 上に存在していて、前記第２横桟１１の背面側の端面には、固定台座Ｓの背面側において横中心線Ｃ2 の位置を表示するためのセンター位置表示突起１５（図３参照）が突設されている。また、上下の各第３横桟１２の片持ち部の上下には、自由端部に小突刺部１６ａが形成された片持ち状の第４横桟１６がそれぞれ設けられている。
【００３０】
また、前板部１及びダクト接続筒２における横中心線Ｃ2 よりも上方の位置には、前記ビス挿通孔１３に挿通されたビスＢ3 を回転させるドライバー２０を壁表側から挿通させる左右一対のドライバー挿通孔２１が中央部の前面開口３に連通して横中心線Ｃ2 と平行に形成されている。このように、横中心線Ｃ2 の位置を回避してドライバー挿通孔２１を形成したのは、以下の理由による。即ち、固定台座Ｓに固定される換気扇Ｖの前板本体５１には、その横中心線上にビス挿通孔が形成されているものがあり、この種の換気扇Ｖに対応して、固定台座Ｓの前板部１の横中心線Ｃ2 の部分には、ビス螺入下孔Ｈを形成しておく必要のためである。また、前記縦側板部４の上下端は、横側板部５を越えて所定長だけ延設されていて、その延設部４ｂには、表裏にそれぞれ開口した２つのビス挿通孔１７が同一線上に形成されている。このビス挿通孔１７の使用により、中央のビス挿通孔１３に挿通した１本のビスＢ2 により固定台座Ｓを壁裏の構造物に固定するのに替えて、上下の各ビス挿通孔１７にそれぞれ挿通した２本のビスＢ2 により固定台座Ｓを側壁内の構造物に固定できる。
【００３１】
固定台座Ｓの前板部１には、台座本体１０を天井板４１に仮固定するビスＢ1 及び換気扇Ｖの前板本体５１を固定するビスＢ2 をそれぞれ螺入させるための無数のビス螺入下孔Ｈが形成されている。換気扇Ｖの前板本体５１に形成されているビス挿通孔の位置は、メーカー毎に、或いは同一メーカーでも機種毎に異なっていて様々であるのに対応して、前記ビス挿通孔の位置を調査して、殆ど全ての換気扇Ｖの固定が可能なように最小公倍数的な観点から、前板部１に形成するビス螺入下孔Ｈの位置を定めてある。即ち、前板部１には、多数のビス螺入下孔Ｈが密集して形成されて一群となった複数群（実施例では８群）のビス螺入下孔群Ｈ0 が散在して形成されている。即ち、前板部１における縦横の各中心線Ｃ1 ，Ｃ2 と交叉する部分、及び前板部１における各対角線方向と交叉する各コーナー部には、ビス螺入下孔群Ｈ0 がそれぞれ形成されている。各ビス螺入下孔群Ｈ0 には、多数のビス螺入下孔Ｈが縦横に並んだ状態で、縦横両方向に同一ピッチで密集して形成されている。図３及び図４に示されるように、前板部１におけるビス螺入下孔群Ｈ0 が形成されている部分は、ビス螺入下孔群Ｈ0 が形成されていない一般部よりも遥かに厚肉に形成された厚肉部１ａとなっている。ビス螺入下孔Ｈは、非貫通孔であって、前面に開口されたテーパー状の第１下孔Ｈ1 と、背面に開口された同一内径の第２下孔Ｈ2 とが、同一軸線上で非連続に形成されたものである（図３参照）。
【００３２】
また、ダクト接続筒２の後端縁における上下に対向する部分には、ダクト接続筒２に内挿された換気ダクトＤと該ダクト接続筒２とをテープ１８で接続する際の貼り代となる貼り代片２２が後方に延出して形成されている。貼り代片２２の部分において、ダクト接続筒２と、これに内挿された換気ダクトＤとをテープ１８により接続することにより、広い巾でもって周方向に接続されるために、ダクト接続筒２と換気ダクトＤとの接続が確実となる。この点において、貼り代片２２が存在しない場合には、ダクト接続筒２と換気ダクトＤとの接続部においてテープを何重にも巻回する必要があった不具合を改善できる。
【００３３】
また、前記貼り代片２２は、その全てが縦側板部４の後端面から後方（背面側）に長さ（Ｌ）だけ突出しているため、複数の固定台座Ｓを積み重ねる場合には、前記貼り代片２２が障害となる。このため、前面開口３の上端部には、固定台座Ｓを重ね合わせた場合に、上方の貼り代片２２の大部分を挿入できる正面形状が円弧状をした上方貼り代片挿入溝２３が形成されていると共に、前面開口３の略下半部は、下方の貼り代片２２の大部分を挿入できるように楕円弧状の下方貼り代片挿入溝２４が形成されている。下方貼り代片挿入溝２４の奥側の形成端部であって、しかも縦中心線Ｃ1 と交叉する部分には、ダクト接続筒２に内挿した換気ダクトＤの挿入端を規制するための挿入規制片２５が折取り可能となって形成されている。この挿入規制片２５を設けたのは、換気ダクトＤの挿入側の端面が大きく傾斜して切断されていた場合には、図３で２点鎖線で示されるように、切断端面と周面とが最大鋭角となる部分が、台座本体１０の前面を越えて手前側に突出して屋内側の天井板４１に当接するのを防止するためである。前板部１の前面開口３の周縁における縦中心線Ｃ1 と交叉する部分には、後述の棒状をした被探知具３１の両端部を挿入して取着するための上下一対の被探知具取着溝２６が形成されている。なお、図２ないし図４において、２７は、換気扇Ｖのケーブルを挿通させるために、前面開口３の周縁に形成された複数のケーブル挿通孔を示し、２８は、前板部１における前面開口３の周縁の横中心線Ｃ2 と交叉する部分に形成されたセンター位置表示溝を示す。
【００３４】
また、側壁内の構造物に固定して使用する場合に下方となる横側板部５の長手方向の中央であって、しかも背面側の端部には、前板部１における前面開口３の周縁に相上下して形成された一対の被探知具取着溝２６に取着される板棒状をした被探知具３１が折取り可能に連結されている。即ち、被探知具３１は、側壁内の構造物に固定して使用する場合において、既に固定（設置）済の固定台座Ｓを壁表から探知可能とする部材であって、板棒状をした取着棒３２の長手方向の中央に一体形成された磁石保持部３３の内部に永久磁石Ｍが挿入保持された構成である。台座本体１０から被探知具３１を折り取って、取着棒３２の両端部を台座本体１０の前面に形成された一対の被探知具取着溝２６に挿入すると、前面開口３の中央部に永久磁石Ｍが配置される。
【００３５】
また、図２ないし図５に示されるように、天井壁Ｗの天井板４１に固定台座ＳをビスＢ1 を使用して仮固定したり、或いは仮固定された固定台座ＳにビスＢ2 を使用して換気扇Ｖの前板本体５１を固定したりする際に、天井板４１に形成された貫通孔４３に対する固定台座Ｓの移動を抑制するための抑制防止部材である無端状（ループ状）のひも体３４が取付けられている。無端状のひも体３４は、台座本体１０の前面開口３に臨んで対向形成された一対の被探知具取着溝２６に挿通されることにより、台座本体１０の前面側から垂れ下がって配置される部分と、台座本体１０の背面側のダクト接続筒２の外周面に巻き突けられた状態、或いはダクト接続筒２の後端面に引っ掛けられた状態となる部分とに二分される。即ち、ループ状のひも体３４は、使用状態において、壁表側に大きく引き出される周長を有している。台座本体１０が縦壁内の構造物に固定して使用される場合に上方となる横側板部５の中央部には、その後端面（背面側の端面）から更に後方に突出した突出片５ａが形成され、前記突出片５ａの中央部、及び両端部には、前記ひも体３４の非使用時において二重にした状態で抜け出ないように挿入しておくためのひも体挿入溝５ｂが横側板部５の幅方向（台座本体１０の全体から見ると、前後方向）に沿って形成されている。このため、台座本体１０の保管時、運搬時等の非使用時においては、図４に示されるように、台座本体１０の前面側においては、一対の被探知具取着溝２６の間においてひも体３４の一部を直線状に張り渡すと共に、台座本体１０の背面側においては、ダクト接続筒２の外周に密着させて余長となった余長部３４ａは、二重にして横側板部５の突出片５ａに巻回すると共に、突出片５ａのひも体挿入溝５ｂに挿入係止させておく。これにより、固定台座Ｓの非使用時においては、ひも体３４は無用に垂れ下がったり、側方に無造作に延び出したりすることなく、台座本体１０に対して一体に取付けられて、固定台座Ｓの保管、運搬等の際に全く障害がないようにしてある。そして、使用時においては、ひも体３４における前面側に直線状となって張り渡された直線部３４ｂを下方に強く引っ張ると、台座本体１０に上記のようにして取付けられていたひも体３４は、即座に解かれて、図５に示されるような無端状（ループ状）となる。
【００３６】
次に、上記固定台座Ｓを使用して、天井壁Ｗの天井板４１に換気扇Ｖを配設する作業について説明する。図６は、固定台座Ｓのダクト接続筒２に接続した換気ダクトＤにエルボダクトＥを介して可撓連結管４２が接続された状態の斜視図であり、図７は、天井壁Ｗの壁内において可撓連結管４２が接続された固定台座Ｓを天井板４１に形成された貫通孔４３の部分で強制的に移動させて、正規の配設姿勢にさせた状態を示す図であり、図８は、貫通孔４３から引き出されたひも体３４を引っ張って、固定台座Ｓを天井板４１に密着させている状態の断面図であり、図９は、図８のＹ−Ｙ線断面図であり、図１０（イ）ないし（ハ）は、ビスＢ1 を介して天井板４１に固定台座Ｓを仮固定している状態の時間的な変化を示す部分断面図である。まず、図６に示されるように、固定台座Ｓに接続された換気ダクトＤにエルボダクトＥを介して可撓連結管４２を接続しておく。この状態では、台座本体１０に対してひも体３４は解かれて、天井板４１の裏面に横たわった状態となっている。固定台座Ｓが固定される位置（換気扇Ｖの設置位置）は、予め分かっているので、天井裏において固定台座Ｓを貫通孔４３の形成予定位置の近傍に配置する作業者は、ひも体３４を貫通孔４３の形成予定位置の方向に向けて横たわらせて、貫通孔４３から手を挿入して固定台座Ｓを探す作業、及び探した後に固定台座Ｓを貫通孔４３の部分まで強制的に移動させる作業が容易なようにしておくことが望ましい。固定台座Ｓは、上記したように可撓連結管４２に連結された状態となって、天井板４１に形成される貫通孔４３の形成予定位置の近傍に配置されている。
【００３７】
次に、天井壁Ｗにおける換気扇Ｖの配設位置（固定台座Ｓの固定位置と同一位置）に、壁表側から換気扇Ｖ、及び作業物の手のいずれもが壁内に挿入できる大きさの貫通孔４３を形成し、その後に、前記貫通孔４３を利用して、該貫通孔４３の近傍に予め配置されている可撓連結管４２に連結された固定台座Ｓを貫通孔４３の部分まで強制的に移動させて、固定台座Ｓの前面開口３が貫通孔４３から壁表側に臨むような正規の配設姿勢で配設させる。天井壁Ｗ内に配置された固定台座Ｓを貫通孔４３の部分まで強制的に移動させる方法は種々あって、代表的な方法として、貫通孔４３から壁内に挿入した作業者の手によって天井板４１に横たわっているひも体３４を探し出して、前記ひも体３４を引っ張ることにより、矢印Ｐ（図６及び図７参照）で示されるように、固定台座Ｓを貫通孔４３の部分まで強制的に移動させて、固定台座Ｓの前面開口３を貫通孔４３から壁表に臨ませる（図７参照）。他の方法としては、貫通孔４３から壁内に挿入した作業者の手によって固定台座Ｓを探し出し、手により固定台座Ｓを掴んで貫通孔４３の部分まで強制的に移動させる。更に、先端がフック状となった引寄せ具を用いて、ひも体３４を引っ掛けて、引き寄せてもよい。
【００３８】
次に、図１、図８及び図９に示されるようにして、天井板４１の壁裏に正規の配設姿勢で配設されている固定台座Ｓを、天井板４１の貫通孔４３の周縁部に２本のビスＢ1 を介して仮固定する。２本のビスＢ1 を介して固定台座Ｓの仮固定の位置は、２本のビスＢ2 を介して固定台座Ｓに天井板４１を挟んだ状態で固定される換気扇Ｖの前板本体５１の固定位置とは、当然に異なる。即ち、仮固定用の２本のビスＢ1 は、台座本体１０の縦中心線Ｃ1 上に位置しており、換気扇Ｖの前板本体５１を固定する２本のビスＢ2 は、台座本体１０の横中心線Ｃ2 上に位置しており、仮固定用の２本のビスＢ1 を結ぶ線分と、換気扇Ｖの前板本体５１を固定する２本のビスＢ2 を結ぶ線分は、互いに直交している。
【００３９】
そして、天井板４１の貫通孔４３に対して正しい位置に配置された固定台座Ｓの台座本体１０に連結されているひも体３４を天井板４１の貫通孔４３から壁表側に引き出し、貫通孔４３から壁表側に引き出されたひも体３４の引張り部３４ｃを作業者の手６１により下方に強く引っ張ることにより、台座本体１０を天井板４１に押し付けた状態で、２本のビスＢ1 を介して壁表側から台座本体１０を天井板４１に仮固定する。天井板４１に形成された貫通孔４３の大きさは、台座本体１０に連結されて前記貫通孔４３から壁表側に引き出されたひも体３４の引張り部３４ｃが、貫通孔４３の内周面に引っ掛からない大きさにして、壁表側に引き出されたひも体３４の引張り部３４ｃに加わる左右の引張り力の不均衡により、貫通孔４３に対して台座本体１０が移動させられないようにする必要がある。
【００４０】
即ち、図１０（イ）に示されるように、ひも体３４に加える引張り力Ｔにより台座本体１０を天井板４１に押し付けて、天井板４１の貫通孔４３に対する固定台座Ｓの位置がずれない状態にして、壁表側からビスＢ1 を天井板４１を貫通させて台座本体１０のビス螺入下孔Ｈに螺入させる。螺入当初においては、図１０（ロ）に示されるように、ビスＢ1 の螺入力により台座本体１０が天井板４１の裏面から僅かに浮上させられるが、ビスＢ1 の先端部が、ビスＢ1 の螺入が容易なテーパー状をした第１下孔Ｈ1 に僅かでも螺入されると、以後は、僅かに浮上させられた台座本体１０は、ビスＢ1 の螺入により天井板４１の側に引き戻されて、図１０（ハ）に示されるように、ビスＢ1 は、台座本体１０の前板部１の厚肉部１ａを貫通して、２本のビスＢ1 によって、台座本体１０は、貫通孔４３に対する配設位置を維持した状態で、天井板４１に仮固定される。なお、前記仮固定の終了後においては、無端状（ループ状）をしたひも体３４は、切除しておくことが好ましい。本実施例のひも体３４は、台座本体１０の前面開口３の周縁部に形成された被探知具取着溝２６から壁表側に引き出しているために、台座本体１０の天井板４１との間にひも体３４が挟まれることはない。
【００４１】
換気扇Ｖは、図１に示されるように、方形状をした前板本体５１の背面側にダクト接続筒５２が一体に取付けられ、前記前板本体５１の円形開口５１ａに臨んで前記ダクト接続筒５２内に配置された回転羽根５３がモータ５４により回転される構成である。この換気扇Ｖは、前板本体５１の縦中心線上に配置された上下一対のビス挿通孔５５に挿通された一対のビスＢ2 を介して天井壁Ｗの壁裏側に配設された固定台座Ｓに固定される。なお、前板本体に形成されるビス挿通孔は、換気扇の種類によって種々異なり、前板本体の横中心線上に一対が配置されたもの、或いは対角線方向に沿った一又は二対が配置されたもの等がある。このため、複数本のビスを介して台座本体１０を天井板４１に仮固定する場合における台座本体１０における仮固定用のビスの螺入位置は、台座本体１０における換気扇の前板本体のビスの螺入位置との干渉を避けて選択する必要がある。
【００４２】
そして、壁表側において、天井壁Ｗの壁裏に設置された固定台座Ｓに換気扇Ｖを固定するには、以下のようにして行う。図１及び図１１に示されるように、壁表側において換気扇Ｖのダクト接続筒５２を、天井板４１の貫通孔４３を通して、その奥側の換気ダクトＤ内に挿入して、前板本体５１を天井板４１の前面に密着させる。この状態で、壁表側において換気扇Ｖの前板本体５１のビス挿通孔５５に挿通されたビスＢ2 をドライバーにより回転させると、前記ビスＢ2 は、天井板４１を貫通した後に、該天井板４１に当接している固定台座Ｓの前板部１に形成されたビス螺入下孔Ｈに螺入される。即ち、本実施例では、縦中心線Ｃ1 と交叉する各ビス螺入下孔群Ｈ0 のいずれかのビス螺入下孔ＨにそれぞれビスＢ2 が螺入されて、換気扇Ｖの前板本体５１と固定台座Ｓとの間で天井板４１を挟持した状態で、換気扇Ｖの前板本体５１が壁裏の固定台座Ｓに２本のビスＢ2 を介して固定されるので、固定状態がしっかりする。なお、ビス螺入下孔群Ｈ0 には、多数のビス螺入下孔Ｈが縦横に並んで形成されているが、最初のビスＢ2 がビス螺入下孔Ｈにスムーズに螺入されない場合には、換気扇Ｖの前板本体５１をいずれかの方向に微動させると、ビスＢ2 の先端が近辺のビス螺入下孔Ｈに確実に螺入されると共に、２番目のビスＢ2 がビス螺入下孔Ｈにスムーズに螺入されない場合には、螺入済のビスＢ2 を中心にして換気扇Ｖの前板本体５１をいずれかの方向に最小角度だけ廻して、最も近いビス螺入下孔Ｈに螺入させればよい。
【００４３】
換気扇Ｖの固定後においては、図１及び図１２に示されるように、壁表側において換気扇Ｖの前板本体５１にルーバー５６を覆い被せる。これにより、換気扇Ｖの作動により室内側の空気が換気ダクトＤ及び可撓連結管４２を通って大気に放出されると共に、別の部分から新たな空気が室内に流入することにより、室内が換気される。
【実施例２】
【００４４】
実施例１は、換気扇Ｖの前板本体５１を固定台座Ｓに固定する前に、固定台座Ｓを天井板４１に仮固定しておく例であるが、実施例２は、前記仮固定を行わずに、天井壁Ｗの壁裏に正規の配設姿勢で配設された固定台座Ｓに対して換気扇Ｖ’の前板本体５１’を直接に固定する例である。図１３は、天井壁Ｗの壁裏に配設された固定台座Ｓと、該固定台座Ｓに固定される換気扇Ｖ’との斜視図であり、図１４は、ひも体３４の引張り部３４ｃにより天井板４１に押し付けられた固定台座Ｓに、換気扇Ｖ’の前板本体５１’を一対のビスＢ2 により固定している状態を示す断面図である。換気扇Ｖ’は、前記換気扇Ｖに対して前板本体５１’の形状が異なるのみであって、他の構成は全て同一である。即ち、正方形状をした前板本体５１’は、中央部に形成され円形開口５１ａの中心に対して対称位置に一対の巾広のひも体挿通溝部５７が対向して形成され、各コーナー部にビス下孔５８がそれぞれ形成された構成である。前板本体５１’のひも体挿通溝部５７は、天井板４１の貫通孔４３から引き出されたひも体３４の引張り部３４ｃを挿通させる部分である。また、前板本体５１’の各コーナー部にビス下孔５８がそれぞれ形成されているために、各ビス下孔５８に挿通されたビスＢ2 は、固定台座Ｓの各コーナー部に形成された各ビス螺入下孔群Ｈ0 のいずれかのビス螺入下孔Ｈに螺入される。
【００４５】
そして、図１４に示されるように、天井壁Ｗの壁裏に正規の姿勢で配設された固定台座Ｓからひも体３４を天井板４１の貫通孔４３を通して壁表側に引き出して、引き出されたひも体３４の引張り部３４ｃを、換気扇Ｖ’の前板本体５１’のひも体挿通溝部５７に挿通させた状態で、ひも体３４の引張り部３４ｃを下方に強く引っ張ると、天井壁Ｗの壁裏において固定台座Ｓは、天井板４１に押し付けられる。この状態において、換気扇Ｖ’の前板本体５１’の各コーナー部のビス下孔５８に挿通したビスＢ2 を天井板４１を貫通させて、その背面側に天井板４１に押し付けられた状態で密着している台座本体１０のコーナー部のビス螺入下孔群Ｈ0 のいずれかのビス螺入下孔Ｈに前記ビスＢ2 を螺入させる。換気扇Ｖ’の前板本体５１’は、ひも体３４の引張り部３４ｃの作用する引張り力Ｔによって天井板４１に対して押し付けられているので、前板本体５１’の各コーナー部は、天井板４１に対して大きく浮き上がらないために、実施例１の場合と全く同様にして、複数本（実施例２では４本）のビスＢ2 を介して換気扇Ｖ’の前板本体５１’を天井壁Ｗの壁裏の固定台座Ｓに直接に固定できる。なお、天井板４１に形成する貫通孔４３の大きさ、及び前板本体５１’に形成するひも体挿通溝部５７の深さは、図１４に示されるように、ひも体３４の引張り部３４ｃをそのまま固定台座Ｓの前板部１に対して垂直に引き出した場合において、貫通孔４３の周縁部、及びひも体挿通溝部５７の形成端に接触しないことが必要である。
【実施例３】
【００４６】
実施例３は、天井壁Ｗの壁内に配設された桟４４の側面に固定台座Ｓを固定しておいて、その後に、桟４４に一側部が固定された固定台座Ｓをひも体３４により下方に引っ張りながら、換気扇Ｖの前板本体５１を前記固定台座Ｓに固定する場合である。図１５は、天井壁Ｗの壁内に配設された桟４４の側面に固定台座Ｓを固定している状態の部分断面図である。実施例３は、壁裏の桟４４の近傍に換気扇Ｖが配設される場合であって、固定台座Ｓの一方の縦側板部４を桟４４の側面に当接させて、桟４４の近傍に予め形成された貫通孔４３及び壁内の台座本体１０のドライバー挿通孔２１に挿通されたドライバー２０により、台座本体のビス挿通孔１７に挿通されているビスＢ3 を回転させて前記桟４４に螺入させる。なお、天井板４１は、ビスＢ4 を介して桟４４に固定されている。
【００４７】
これにより、壁内の桟４４に固定台座Ｓが仮固定されるために、天井板４１の壁表に換気扇Ｖの前板本体５１を当接させて、ひも体３４により固定台座Ｓを下方に引っ張りながら、ビスＢ3 を介して前記前板本体５１を壁内の固定台座Ｓに固定する際には、天井板４１の貫通孔４３に対して固定台座Ｓが移動することはなく、桟４４と固定されている側と反対の側が浮き上がり易くなるのみであるので、ひも体３４により固定台座Ｓを下方に引っ張って前記浮き上がりを防止することにより、固定台座Ｓに対するビスＢ2 の螺入作業を容易に行える。
【実施例４】
【００４８】
実施例１は、固定台座に設けられる移動抑制部が柔軟性を有するひも体で構成された例であるが、実施例４は、移動抑制部が剛性を有する部材で構成された例であり、図１６ないし図１９を参照して詳細に説明する。図１６は、前面開口３に移動抑制部７１が一体に設けられた固定台座Ｓ’を下方から見た斜視図であり、図１７は、固定台座Ｓ’の移動抑制部７１の部分の正面図であり、図１８は、前面開口３に一体に設けられた移動抑制部７１を引っ張って、固定台座Ｓ’天井板４１に密着させている状態の断面図であり、図１９は、図１８のＺ−Ｚ線断面図である。固定台座Ｓ’のダクト接続筒２の前面開口３に近い部分には段差部２ａが形成されて、前面開口３の側の内径の方が反開口側の内径よりも大きくなっていて、ダクト接続筒２の前面開口３の側の内周面には、縦側板部４と平行である縦中心線Ｃ1 に沿って移動抑制部７１が配設されて、その両端部は、ダクト接続筒２に一体に接続された形態で架設されている。このため、移動抑制部７１は、固定台座Ｓ’の前面開口３よりも僅かに内方に入り込んだ部分に、前面開口３の直径方向に沿って架設されている。移動抑制部７１は、前記被探知具３１と同様の構成であって、板棒状の取着棒７２の長手方向の中央部の円形の磁石保持部７３に磁石Ｍが前面開口３と反対側に露出した状態で埋設され、更に取着棒７２における前記磁石保持部７３の両側には、当該固定台座Ｓ’を天井板４１等に固定するためのビスＢ1 を嵌着保持する一対のビス保持片７４が、前面開口３の側に向け、しかも取着棒７２の幅方向に沿って対向して形成された構成である。移動抑制部７１に埋設された磁石Ｍは、固定台座Ｓ’の前面開口３の中心に配置されるため、後述のように、固定台座Ｓ’の前面開口３が壁板で覆われる施工法の場合には、壁表から移動抑制部７１に埋設された磁石Ｍを探知することにより、当該探知位置が前記前面開口３の中心位置となって、固定台座Ｓ’の開口を壁表に臨ませるための透孔を円穿孔する際の基準位置となる。また、１つの移動抑制部７１には、２本のビスＢ1 が先端部を対向させて取着棒７２の長手方向に沿って保持可能になっている。また、取着棒７２の幅Ｋは、ビスＢ1 の頭部７５の外形Ｊよりも遥かに小さくなっていて、一対のビス保持片７４が嵌着されたビスＢ1 は、その頭部７５を摘んで取着棒７２から離間させることにより、一対のビス保持片７４からビスＢ1 の本体部７７を簡単に取り外せるようになっている。また、移動抑制部７１は、使用後においては気流通過の障害となるために、折り取られることが多く、取着棒７２の長手方向の両端部の両側面には、前記折取りを容易にするための折取り溝７６が厚さ方向に沿って形成されている。
【００４９】
そして、天井板４１の裏側において可撓連結管４２に連結された固定台座Ｓ’を、天井板４１に形成された貫通孔４３の部分まで引き寄せるには、当該固定台座Ｓ’を僅かに横倒し状態にして、前面開口３に臨んでいる移動抑制部７１を、前記貫通孔４３から天井裏に挿入した作業者の手により直接に掴んで、可撓連結管４２に連結された固定台座Ｓ’を天井板４１の貫通孔４３の部分まで引き寄せる。次に、図１８及び図１９に示されるように、移動抑制部７１のビス保持片７４から頭部７５を摘むことにより２本のビスＢ1 を取り外しておいて、前記移動抑制部７１を作業者の手で掴んで下方に大きな引張り力Ｔで引っ張ることにより、固定台座Ｓ’を天井板４１に強く押し付けて仮固定する。これにより、天井板４１の表側から、当該天井板４１の裏側に配置された固定台座Ｓ’のビス螺入孔ＨにビスＢ1 を螺入する際において、天井板４１に対して固定台座Ｓ’が浮き上がるのが防止されるので、前記螺入作業を容易に行なえる。また、実施例４の移動抑制部７１は、ダクト接続筒２に挿入される換気ダクトＤの端面を当接させて規制する前記規制片２５としての機能も備えている。
【００５０】
また、固定台座Ｓ’は、上記施工法とは異なって、可撓連結管４２に連結された固定台座Ｓ’を建物の柱等の構造物に予め固定した後に、固定台座Ｓ’の前面に壁板を立てる施工法の場合には、固定台座Ｓ’の前面開口３が壁板により閉塞されるので、壁板を立設した後に、固定台座Ｓ’の前面開口３を壁表に臨ませるために前記壁板を穿孔する必要がある。この場合において、固定台座Ｓ’に一体に設けられた移動抑制部７１の磁石Ｍを壁板の表側から磁気探知することにより、固定台座Ｓ’の前面開口３の中心を探知でき、この探知位置を壁板に表示して、当該表示点を中心にして壁板を円穿孔して透孔を形成すると、固定台座Ｓ’の前面開口３が壁表に臨むことになる。なお、実施例４の移動抑制部７１のように磁石Ｍを備えている場合には、上記した被探知機能を奏する利点があるが、磁石Ｍを有していなくて、本来の移動抑制機能のみを備えている形態も考えられる。
【００５１】
また、台座本体１０の前面開口３に臨んで形成されている複数個のケーブル挿通孔２７のうち使用されていないケーブル挿通孔２７は、固定台座Ｓの仮固定時において指先を挿入して、固定台座Ｓを天井板４１に押し付けるのにも使用することができ、この意味において、ケーブル挿通孔２７は、本発明における「移動抑制部」としての機能を果す。
【００５２】
また、固定台座Ｓが正規の配設姿勢を維持するように、壁板（天井板４１）の貫通孔４３に対して固定台座Ｓが移動するのを防止する「移動抑制部」は、台座本体１０のダクト接続筒（開口）２の内部に折取り可能に成形したり、或いは前面開口３から壁表側に突出形成することも可能である。この場合において、「移動抑制部」は、挿入規制片２５のように折取り可能にしたり、取外し可能にしてもよい。また、換気扇類の装着の障害にならない場合には、切除等の必要はない。
【００５３】
更に、前記「移動抑制部」は、台座本体の前面開口（開口）３の外側に形成することも可能であって、この場合には、壁板（天井板４１）に形成する貫通孔４３の大きさは、台座本体の開口内に「移動抑制部」が存在する場合に比較して大きくなる。
【図面の簡単な説明】
【００５４】
【図１】壁裏に配置される本発明に係る固定台座Ｓと、壁表から壁裏に至る部分に配置されて前記固定台座Ｓに固定される換気扇Ｖとの斜視図である。
【図２】固定台座Ｓの正面図である。
【図３】固定台座Ｓの設置姿勢における図２のＸ−Ｘ線断面図である。
【図４】固定台座Ｓの設置姿勢における斜視図である。
【図５】固定台座Ｓの移動抑制用のひも体３４を垂れ下げた状態の固定台座Ｓの斜視図である。
【図６】固定台座Ｓのダクト接続筒２に接続した換気ダクトＤにエルボダクトＥを介して可撓連結管４２が接続された状態の斜視図である。
【図７】天井壁Ｗの壁内において可撓連結管４２が接続された固定台座Ｓを天井板４１に形成された貫通孔４３の部分で強制的に移動させて、正規の配設姿勢にさせた状態を示す図である。
【図８】貫通孔４３から引き出されたひも体３４を引っ張って、固定台座Ｓを天井板４１に密着させている状態の断面図である。
【図９】図８のＹ−Ｙ線断面図である。
【図１０】（イ）ないし（ハ）は、ビスＢ1 を介して天井板４１に固定台座Ｓを仮固定している状態の時間的な変化を示す部分断面図である。
【図１１】壁表側からビスＢ2 を螺入することにより、換気扇Ｖの前板本体５１が壁裏の固定台座Ｓに固定された状態の断面図である。
【図１２】壁裏の固定台座Ｓに固定された換気扇Ｖの前板本体５１にルーバー５６を被せた状態の断面図である。
【図１３】天井壁Ｗの壁裏に配設された固定台座Ｓと、該固定台座Ｓに固定される換気扇Ｖ’との斜視図である。
【図１４】ひも体３４の引張り部３４ｃを引っ張ることにより天井板４１に押し付けられた固定台座Ｓに、換気扇Ｖ’の前板本体５１’を一対のビスＢ2 により固定している状態を示す断面図である。
【図１５】天井壁Ｗ内の桟４４にビスＢ3 を介して固定台座Ｓを固定している状態の部分断面図である。
【図１６】前面開口３に移動抑制部７１が一体に設けられた固定台座Ｓ’を下方から見た斜視図である。
【図１７】固定台座Ｓ’の移動抑制部７１の部分の正面図である。
【図１８】前面開口３に一体に設けられた移動抑制部３１を引っ張って、固定台座Ｓ’を天井板４１に密着させている状態の断面図である。
【図１９】図１８のＺ−Ｚ線断面図である。
【符号の説明】
【００５５】
Ｂ1 ：（仮固定用の）ビス
Ｂ2 ：（換気扇固定用の）ビス
Ｂ3 ：（台座本体固定用の）ビス
Ｈ：ビス螺入下孔（固定部）
Ｓ，Ｓ’：固定台座
Ｔ：ひも体の引張り力
Ｖ，Ｖ’：換気扇
Ｗ：天井壁（壁）
１：前板部（壁裏当接部）
２：ダクト接続筒（筒壁部）
３：前面開口（開口）
１０：台座本体
３４：ひも体（移動抑制部，引寄せ具）
３４ｃ：ひも体の引張り部
４１：天井板（壁板）
４３：貫通孔
４４：桟（壁内の構造物）
６１：作業者の手
７１：移動抑制部
【図１】
2007064615.tif 000003
【図２】
2007064615.tif 000004
【図３】
2007064615.tif 000005
【図４】
2007064615.tif 000006
【図５】
2007064615.tif 000007
【図６】
2007064615.tif 000008
【図７】
2007064615.tif 000009
【図８】
2007064615.tif 000010
【図９】
2007064615.tif 000011
【図１０】
2007064615.tif 000012
【図１１】
2007064615.tif 000013
【図１２】
2007064615.tif 000014
【図１３】
2007064615.tif 000015
【図１４】
2007064615.tif 000016
【図１５】
2007064615.tif 000017
【図１６】
2007064615.tif 000018
【図１７】
2007064615.tif 000019
【図１８】
2007064615.tif 000020
【図１９】
2007064615.tif 000021